(57)【要約】【課題】積雪の圧力によりネットと支柱が倒れた場合でも、ネット上の雪が少なくなったり無くなれば、支柱は自動的に起立してネットを張る元の状態に戻るようにし、獣害の発生防止と環境の維持を実現し、復旧に要した作業とコストの大幅な削減を図れる獣害防止ネットの支柱を提供する。【解決手段】獣害防止ネット１の支柱２が、上端を地面に露出させた状態で地中に固定する中空の下部支柱６と、ネット３を取付けるため前記下部支柱６の上部に配置される中空の上部支柱７と、前記下部支柱６と上部支柱７を直線状に結合するコイルスプリング８とで形成され、下部支柱６の上端と上部支柱７の下端の間に前記コイルスプリング８の露出部分を設け、この露出部分によるコイルスプリング８の弾性によって、下部支柱６に対して上部支柱７を起立状態から起伏動可能とする。【選択図】図１
2013176309.tif 000002
【特許請求の範囲】
【請求項１】
上端を地面に露出させた状態で地中に固定する中空の下部支柱と、ネットを取付けるため前記下部支柱の上部に配置される中空の上部支柱と、前記下部支柱と上部支柱を直線状に結合するコイルスプリングとからなり、前記下部支柱の上端と上部支柱の下端の間に前記コイルスプリングの露出部分を形成し、この露出部分によるコイルスプリングの弾性によって、下部支柱に対して上部支柱を起立状態から起伏動可能とした獣害防止ネットの支柱。
【請求項２】
上記下部支柱と上部支柱は等しい内径のパイプを用い、上記コイルスプリングは、下部支柱と上部支柱の内径に接合する外径の密巻きとなり、上下端に係止フック部を設けて形成され、このコイルスプリングの下端部と下部支柱の結合が、コイルスプリングの下端部を下部支柱の上端部内に嵌め合わせ、下端のフック部と下部支柱に設けた横架軸を連結することにより行い、前記コイルスプリングの上端部と上部支柱の結合が、コイルスプリングの上端部を上部支柱の下端部内に嵌め合わせ、上端のフック部と上部支柱に設けた横架軸を連結することにより行い、前記コイルスプリングの途中の部分を下部支柱の上端と上部支柱の下端の間に露出させた請求項１に記載の獣害防止ネットの支柱。
【発明の詳細な説明】
【技術分野】
【０００１】
この発明は、野生動物の食害から木々や農作物を守るため、保護せんとする区域の周囲を囲むように配置する獣害防止ネットの支柱、更に詳しくは、冬季に積雪があるような地域の傾斜地において、積雪の重量や雪崩による圧力を受けた場合でも、獣害防止ネットの破損発生を防ぐことができると共に、獣害防止ネットの現状復帰が自動的に得られる獣害防止ネットの支柱に関する。
【背景技術】
【０００２】
例えば、山間部においては、草食動物、特に鹿等が木々の新芽や樹皮を食べる食害（以下獣害という）が多発し、木々が枯れることによる自然環境の破壊だけでなく、農林業にも大きな損害を与えており、このため、保護せんとする区域の周囲を囲むように獣害防止ネットを配置し、保護域内への鹿等の侵入を防ぐことが行われている。
【０００３】
特に、冬季に積雪が生じる地域においては、積雪時やその前後において鹿等の餌となる草がなくなり、このため、木々の新芽や樹皮を食べることになり、このような地域では、積雪時やその前後に発生する獣害が大きな問題となっている。
【０００４】
鹿等の侵入を防ぐ獣害防止ネットの一般的な構造は、地面上に所定長さの支柱を所定間隔に起立配置し、この支柱間にネットを取付けて保護域の周囲を囲むように張ることにより、保護域内への鹿等の侵入を防ぐようになっている。
【０００５】
従来、このような獣害防止ネットの配置に用いられている支柱は、ＦＲＰパイプ、樹脂被覆鋼管、めっき鋼管などを用いて形成され、必要に応じて支柱の上端と地面の間に控え用ロープを張ることで、ネットに鹿等が接触して加わる外圧に耐えるように補強することもある。
【先行技術文献】
【特許文献】
【０００６】
【特許文献１】特開２００４−１５４０１９号公報
【発明の概要】
【発明が解決しようとする課題】
【０００７】
ところで、上記のような獣害防止ネットを冬季において積雪が生じるような地域の山間部に設置した場合、支柱が柔軟性のない剛構造になっているので、ネットに積雪の重量が加わったり、特に、傾斜面の下側に位置するネットや支柱に雪崩の圧力が加わると、その圧力で支柱が折れて倒れることになり、このため、支柱を取り換えてネットを元通りに張る復旧作業に多くの時間と労力が必要になり、多額の復旧費用を計上しなければならないという問題があり、このような雪害による破損が原因で冬季に積雪する地域への獣害防止ネットの設置を困難にしている。
【０００８】
また、支柱の材料として用いられているＦＲＰパイプは、土に帰ることがないため折れたものをそのまま放置すると、環境悪化の原因になると共に、上記ネットが倒れたまま復旧が遅れると、倒れた部分から鹿等が侵入し、木々や農作物の獣害が発生する事になる。
【０００９】
そこで、この発明の課題は、上記のような点に鑑み、支柱のネットを取付ける上部支柱に直立状態から伏倒状態への可曲性と直立状態への復帰弾性を付勢し、積雪の圧力により支柱が倒れた場合でも、ネット上の雪が少なくなったり雪がネット上から無くなれば、支柱は自動的に起立してネットを張る状態に戻るようにし、獣害の発生防止と環境の維持を実現し、復旧に要した作業とコストの大幅な削減を図ることができる獣害防止ネットの支柱を提供することにある。
【課題を解決するための手段】
【００１０】
上記の課題を解決するため、この発明は、上端を地面に露出させた状態で地中に固定する中空の下部支柱と、ネットを取付けるため前記下部支柱の上部に配置される中空の上部支柱と、前記下部支柱と上部支柱を直線状に結合するコイルスプリングとからなり、前記下部支柱の上端と上部支柱の下端の間に前記コイルスプリングの露出部分を形成し、この露出部分によるコイルスプリングの弾性によって、下部支柱に対して上部支柱を起立状態から起伏動可能としたものである。
【００１１】
上記下部支柱と上部支柱は等しい内径のパイプを用い、上記コイルスプリングは、下部支柱と上部支柱の内径に接合する外径の密巻きとなり、上下端に係止フック部を設けて形成され、このコイルスプリングの下端部と下部支柱の結合が、コイルスプリングの下端部を下部支柱の上端部内に嵌め合わせ、下端のフック部と下部支柱に設けた横架軸を連結することにより行い、前記コイルスプリングの上端部と上部支柱の結合が、コイルスプリングの上端部を上部支柱の下端部内に嵌め合わせ、上端のフック部と上部支柱に設けた横架軸を連結することにより行い、前記コイルスプリングの途中の部分を下部支柱の上端と上部支柱の下端の間に露出させた構造とすることができる。
【００１２】
ここで、下部支柱の固定は、所定の長さを有する先鋭状の杭パイプを内込み、この杭パイプ内に６００〜８８０ｍｍ程度の長さを有する下部支柱を挿入することにより行い、埋設部分を多くして十分な起立強度が得られるようになっており、下部支柱の上端は地表に所定長さ突出する配置となる。
【００１３】
また、上部支柱は、１６００〜２１００ｍｍ程度の長さを有し、ネットを取付けるために必要な構造になっており、コイルスプリングによって下部支柱に同軸心状となるよう結合され、下部支柱の上端とこの上部支柱の下端の間隔が例えば８０ｍｍ程度に設定され、この間隔がコイルスプリングの露出した可曲部分になり、下部支柱に対して上部支柱は、全方向に折り曲がり自在となり、伏倒状態から直立姿勢に戻る弾性が付勢されることになる。
【００１４】
上記コイルスプリングは、強靭な金属等の線材を密巻にした直線の円筒状とすることで、下部支柱と上部支柱を同軸心の直線状に結合し、支柱の起立時に上部支柱に求められる起立強度を確保することができると共に、上記可曲部分の形成により、下部支柱に対して上部支柱が全方向に伏倒するのを許容するようになっており、このコイルスプリングの下部支柱と上部支柱に対する結合は、横架軸にフック部を直接係止してもよいが、横架軸に取付けた中間板を介してフック部を係止するようにしてもよい。
【発明の効果】
【００１５】
この発明によると、獣害防止ネットを取り付けるための支柱を、下部支柱とネットを取付ける上部支柱をコイルスプリングで結合して形成し、前記上部支柱に直立状態から伏倒状態への可曲性と直立状態への復帰弾性を付勢したので、冬季に積雪がある地域に獣害防止ネットを設置すると、積雪の重量や雪崩の圧力がネットや支柱に加わると、支柱は上部支柱がコイルスプリングの露出部分が曲がることでネットと共に伏倒し、支柱を破損から守り、また、ネット上の雪が少なくなったり雪がネット上から無くなれば、コイルスプリングの復帰弾性で上部支柱は自動的に起立し、同時に上部支柱はネットを張った状態に戻すので、雪害に対して破損の発生がない獣害防止ネットを構築することができる。
【００１６】
このように、ネットや支柱が雪の重量や圧力を受けても、上部支柱は自動的に起立してネットを張る状態に戻るので、積雪地帯においても獣害防止ネットの設置が可能になり、積雪期においても獣害の発生防止と環境の維持を実現し、倒壊による獣害防止ネットの復旧に要した作業とコストの大幅な削減を図ることができる。
【図面の簡単な説明】
【００１７】
【図１】この発明に係る支柱を用いた獣害防止ネットの構築状態を示す斜視図
【図２】この発明に係る支柱を用いた獣害防止ネットの構築状態を示す拡大した縦断側面図
【図３】（ａ）はこの発明に係る支柱の要部を拡大した正面図、（ｂ）は（ａ）の矢印ｂ−ｂでの縦断側面図
【発明を実施するための形態】
【００１８】
以下、この発明の実施の形態を図示例に基づいて説明する。
【００１９】
図１のように、獣害防止ネット１の基本的な構造は、地面ａ上に所定の間隔で起立配置する多数本の支柱２と、前記支柱２に取付けて略垂直の状態で張るネット３で形成され、保護域の周囲を囲むように例えば繊維紐を用いて編んだ前記ネット３を張ることにより、保護域内への鹿等の侵入を防ぐようにするものである。
【００２０】
このような獣害防止ネット１において、必要に応じて支柱２の上端と地面ａの間に控え用ロープ４を張って、ネット３に鹿等が接触して加わる外圧に耐えるように補強したり、ネット３に対して保護域の外側でネット３の上下中間部や下部と地面ａの間にスカート用ネット５を配置し、鹿等がネット３に近づかないようにすることもできる。
【００２１】
図２と図３のように、上記支柱２は、上端を地面に露出させた状態で地中に固定する中空の下部支柱６と、ネット３を取付けるため前記下部支柱６の上部に配置される中空の上部支柱７と、前記下部支柱６と上部支柱７を直線状に結合するコイルスプリング８とで形成されている。
【００２２】
上記下部支柱６と上部支柱７は等しい内径の金属製パイプを用い、この下部支柱６と上部支柱７をコイルスプリング８によって、下部支柱６の上端と上部支柱７の下端の間に前記コイルスプリング８の露出部分が生じるように結合し、この露出部分が可曲部分ｂになり、下部支柱６に対して上部支柱７は、全方向に折り曲がり自在となり、伏倒状態から直立姿勢に戻る弾性が付勢されている。
【００２３】
上記下部支柱６と上部支柱７は等しい内径のパイプを用い、上記コイルスプリング８は、下部支柱６と上部支柱７の内径に接合する外径の密巻き状態で上下端に係止フック部８ａを設けて形成され、このコイルスプリング８の下端部と下部支柱６の結合が、コイルスプリング８の下端部を下部支柱６の上端部内に嵌め合わせ、下端のフック部８ａと下部支柱に設けた横架軸９を連結することにより行い、前記コイルスプリング８の上端部と上部支柱７の結合は、コイルスプリング８の上端部を上部支柱７の下端部内に嵌め合わせ、上端のフック部８ａと上部支柱７に設けた横架軸９を連結することにより行い、前記コイルスプリング８の途中の部分を下部支柱６の上端と上部支柱７の下端の間に露出させている。
【００２４】
上記下部支柱６の地面に対する固定は、図２で示すように、所定の長さを有する先鋭状の杭パイプ１０を地面に打ち込み、この杭パイプ１０内に６００〜８８０ｍｍ程度の長さを有する下部支柱６を挿入することにより行い、杭パイプ１０と下部支柱６の嵌り合いを密にして地中への埋設部分を長くすることで、支柱２の十分な起立強度が得られるようになっており、下部支柱６の上端は地面ａの上に所定長さ突出する配置となる。
【００２５】
また、上部支柱７は、１６００〜２１００ｍｍ程度の長さを有し、ネット３を取付けるために必要な構造になっており、コイルスプリング８によって下部支柱６に同軸心状となるよう結合され、下部支柱６の上端とこの上部支柱７の下端の間隔が例えば８０ｍｍ程度に設定され、この間隔がコイルスプリング８の露出した可曲部分ｂになり、下部支柱６に対して上部支柱７は、全方向に折り曲がり自在となり、伏倒状態から直立姿勢に戻る弾性が付勢されることになる。
【００２６】
上記コイルスプリング８は、強靭な金属等の線材を密巻にした直線の円筒状とすることで、下部支柱６と上部支柱７を同軸心の直線状に結合し、支柱２の起立時にネット３を取付けるための上部支柱７に求められる起立強度を確保することができると共に、上記可曲部分ｂの形成により、下部支柱６に対して上部支柱７が全方向に伏倒するのを許容するようになっており、このコイルスプリング８の下部支柱６と上部支柱７に対する結合は、図３の場合、横架軸９に取付けた中間板１１を介してフック部８ａを係止するようにしたが、横架軸９にフック部８ａを直接係止するようにしてもよい。
【００２７】
この発明の支柱２は上記のような構成であり、図１のように、多数本の支柱２を地面ａに起立配置すると共に、各支柱２の上部支柱７間にネット３を略垂直の配置で取付けて張ることにより、構築した獣害防止ネット１のネット３で鹿や兎等の獣害から守らんとする山林や田畑等の保護域を囲むようにする。
【００２８】
上記支柱２は、図２と図３のように、地面ａに対して垂直に打ち込んだ杭パイプ１０に下部支柱６を挿入することにより、下部支柱６上にコイルスプリング８を介して上部支柱７が直立する配置となり、下部支柱６の上端は地面ａの上に所定長さ突出し、この下部支柱６の上端と上部支柱７の下端との間に形成したコイルスプリングの可曲部分ｂが地面ａの上に位置し、上部支柱７の折れ曲り動作が支障なく得られるようになっている。
【００２９】
冬季に積雪がある地域に上記した獣害防止ネット１を設置すると、例えば、傾斜面の下がり側においては、積雪の重量や雪崩によって、ネット３や支柱２を傾斜面の下がり側に倒そうとする圧力が加わることになり、ネット３や支柱２に前記圧力が加わると、図２に一点鎖線で示すように、支柱２は上部支柱７がコイルスプリング８の可曲部分ｂから曲がることでネット３と共に伏倒し、これにより支柱２自身を破損から守り、また、ネット３上の雪が少なくなったり雪がネット上から無くなれば、コイルスプリング８の復帰弾性で上部支柱７は図２の実線のように自動的に起立し、同時に上部支柱７はネット３を張った状態に戻すので、雪害による破損の発生を回避することができる。
【００３０】
このように、雪の圧力を受けて倒れても圧力から開放されると、上部支柱７とネット３は起立状態に復帰するので、鹿や兎等の侵入を速やかに防ぐことができ、積雪季に獣害防止ネットを巡回して見回る手間が省けるだけでなく、破損による経費の削減が可能になり、冬季に積雪が生じる地域への獣害防止ネット１の構築が可能になる。
【符号の説明】
【００３１】
１        獣害防止ネット
２        支柱
３        ネット
４        控え用ロープ
５        スカート用ネット
６        下部支柱
７        上部支柱
８        コイルスプリング
９        横架軸
１０      杭パイプ
１１      中間板
【図１】
2013176309.tif 000003
【図２】
2013176309.tif 000004
【図３】
2013176309.tif 000005